(57)【要約】【課題】不正行為を防止できるとともに、遊技者に不利益や不快感を与えない遊技機を提供すること。【解決手段】始動信号を検出する始動信号検出手段と、前記始動信号を検出した場合、複数の遊技図柄を変動表示してから、いずれかの遊技図柄を確定表示する図柄表示手段と、前記確定表示した遊技図柄が所定の当り図柄であった場合、駆動信号を出力する駆動信号出力手段と、遊技球が入賞可能な入賞口と、前記駆動信号が出力されている間は、前記遊技球が前記入賞口へ至る経路を開放する開放位置に移動するとともに、前記駆動信号が出力されていない間は、前記経路を閉じる閉塞位置に移動する開閉部材と、前記入賞口への遊技球の入賞を検出する入賞検出手段と、前記駆動信号を検出する駆動信号検出手段と、  以下の条件Ａが成立する場合に報知を行う報知手段と、以下の条件Ｂ〜Ｇから選択される１以上の条件が成立する場合、前記報知手段による報知を禁止する報知禁止手段と、を備える遊技機。【選択図】図５
2010220657.tif 000002
【特許請求の範囲】
【請求項１】
始動信号を検出する始動信号検出手段と、
前記始動信号を検出した場合、複数の遊技図柄を変動表示してから、いずれかの遊技図柄を確定表示する図柄表示手段と、
前記確定表示した遊技図柄が所定の当り図柄であった場合、駆動信号を出力する駆動信号出力手段と、
遊技球が入賞可能な入賞口と、
前記駆動信号が出力されている間は、前記遊技球が前記入賞口へ至る経路を開放する開放位置に移動するとともに、前記駆動信号が出力されていない間は、前記経路を閉じる閉塞位置に移動する開閉部材と、
前記入賞口への遊技球の入賞を検出する入賞検出手段と、
前記駆動信号を検出する駆動信号検出手段と、
以下の条件Ａが成立する場合に報知を行う報知手段と、
以下の条件Ｂ〜Ｇから選択される１以上の条件が成立する場合、前記報知手段による報知を禁止する報知禁止手段と、
を備える遊技機。
条件Ａ：前記駆動信号が検出されない状態で、前記遊技球の入賞が検出される。
条件Ｂ：前記遊技機は、前記入賞口への遊技球の入賞があった場合、保留記憶を記憶する保留記憶手段を備え、前記保留記憶の記憶数が所定数以下である。
条件Ｃ：前記遊技機は、所定の条件下、前記変動表示の時間が通常より短い時短状態を設定する時短手段を備え、前記時短状態にある。
条件Ｄ：前記駆動信号が検出されない状態で、前記遊技球の入賞が検出された後、前記駆動信号が検出される状態を経て、前記駆動信号が検出されず且つ前記遊技球の入賞が検出されない状態となる。
条件Ｅ：前記変動表示が行われている。
条件Ｆ：前記駆動信号が検出されない状態となってから、所定時間が経過していない。
条件Ｇ：前記駆動信号が検出されない状態における前記遊技球の入賞の数が所定数以下である。
【請求項２】
前記条件Ｂ〜Ｇから選択される１以上の条件について、成立した状態から、成立しない状態に移行した場合、その条件に対応する識別信号を外部に出力する識別信号出力手段を備えることを特徴とする請求項１記載の遊技機。
【請求項３】
遊技機の遊技状態によって、前記条件Ｂ、Ｆ、Ｇから選択される１以上の条件における判断基準が変化することを特徴とする請求項１又は２記載の遊技機。
【発明の詳細な説明】
【技術分野】
【０００１】
本発明は、パチンコ遊技機等の遊技機に関し、特に、可変入賞装置を備える遊技機に関する。
【背景技術】
【０００２】
パチンコ遊技機等の遊技機では、一対の開閉部材を起立させた閉塞状態と、その開閉部材を左右に倒した開放状態とに可変する可変入賞装置（いわゆる電動式チューリップ）が使用されることが多い。
【０００３】
可変入賞装置は、普通図柄が大当りとなったとき、駆動信号を受信して開放状態となり、それ以外のときは、閉塞状態になる。開放状態にあるときは、閉塞状態にあるときに比べて、遊技球が可変入賞装置の入賞口へ至る経路が広く、入賞が容易になる。可変入賞装置に遊技球が入賞すると、賞球が払い出される。また、可変入賞装置に遊技球が入賞すると、所定の確率に基づき、大当りを生起するか否かの抽選が行われ、抽選の結果が大当りである場合は、大入賞口が開放し、多量の賞球を獲得することが可能になる。
【０００４】
この可変入賞装置に関しては、遊技機内に挿入した針金等で、本来は閉塞状態にあるはずの開閉部材を強制的に開放させ、遊技球を発射して、これに入賞させるという不正行為（いわゆるゴト行為）が問題となっていた。
【０００５】
上記のような不正行為の対策として、以下の技術が提案されている。
（１）可変入賞装置が実際に開放状態にあることを検知する検知手段を設け、可変入賞装置を開放状態にする駆動信号が無い状態で、可変入賞装置が実際に開放状態となっていれば、可変入賞装置への入賞を無視し、抽選や賞球の払い出しを行わない（特許文献１参照）。
（２）可変入賞装置が実際に開放状態にあることを検知する検知手段を設け、可変入賞装置を開放状態にする駆動信号が無い状態で、可変入賞装置が実際に開放状態となっていれば、報知を行う（特許文献２参照）。
【先行技術文献】
【特許文献】
【０００６】
【特許文献１】特開２００７−２５２４９７号公報
【特許文献２】特開２００８−１７９０４号公報
【発明の概要】
【発明が解決しようとする課題】
【０００７】
可変入賞装置は、不正行為を行わなくても、球詰まり等の理由により、駆動信号が無い状態において、一時的に開放状態となることがある。この場合、上記特許文献１の技術のように、一律に、可変入賞装置への入賞を無視すると、遊技者に不利益になる。また、上記特許文献２のように、不正行為として報知すると、遊技者に不快感を与えてしまう。
【０００８】
本発明は以上の点に鑑みなされたものであり、不正行為を防止できるとともに、遊技者に不利益や不快感を与えない遊技機を提供することを目的とする。
【課題を解決するための手段】
【０００９】
本発明の遊技機は、
始動信号を検出する始動信号検出手段と、前記始動信号を検出した場合、複数の遊技図柄を変動表示してから、いずれかの遊技図柄を確定表示する図柄表示手段と、前記確定表示した遊技図柄が所定の当り図柄であった場合、駆動信号を出力する駆動信号出力手段と、遊技球が入賞可能な入賞口と、前記駆動信号が出力されている間は、前記遊技球が前記入賞口へ至る経路を開放する開放位置に移動するとともに、前記駆動信号が出力されていない間は、前記経路を閉じる閉塞位置に移動する開閉部材と、前記入賞口への遊技球の入賞を検出する入賞検出手段と、前記駆動信号を検出する駆動信号検出手段と、以下の条件Ａが成立する場合に報知を行う報知手段と、以下の条件Ｂ〜Ｇから選択される１以上の条件が成立する場合、前記報知手段による報知を禁止する報知禁止手段と、を備えることを特徴とする。
条件Ａ：前記駆動信号が検出されない状態で、前記遊技球の入賞が検出される。
条件Ｂ：前記遊技機は、前記入賞口への遊技球の入賞があった場合、保留記憶を記憶する保留記憶手段を備え、前記保留記憶の記憶数が所定数以下である。
条件Ｃ：前記遊技機は、所定の条件下、前記変動表示の時間が通常より短い時短状態を設定する時短手段を備え、前記時短状態にある。
条件Ｄ：前記駆動信号が検出されない状態で、前記遊技球の入賞が検出された後、前記駆動信号が検出される状態を経て、前記駆動信号が検出されず且つ前記遊技球の入賞が検出されない状態となる。
条件Ｅ：前記変動表示が行われている。
条件Ｆ：前記駆動信号が検出されない状態となってから、所定時間が経過していない。
条件Ｇ：前記駆動信号が検出されない状態における前記遊技球の入賞の数が所定数以下である。
【００１０】
本発明の遊技機では、条件Ａが成立する場合でも、不正行為ではない場合に成立しやすい条件である条件Ｂ〜Ｇから選択される１以上の条件が成立していれば、報知を行わない。
【００１１】
そのことにより、不正行為ではないのに報知を行い、遊技者に不利益や不快感を与えてしまうようなことが起こりにくい。
また、本発明の遊技機は、可変入賞装置が実際に開放状態となったことを検知する手段を備えなくてもよいので、製造コストを低減できる。
【００１２】
前記条件Ａは、駆動信号が検出されない状態（本来ならば、開閉手段が閉塞位置にあり、遊技球の入賞ができないはずの状態）で、遊技球の入賞が検出されるという条件であるから、不正行為があったならば、成立する条件である。
【００１３】
前記条件Ｂは、不正行為によってではなく、条件Ａが成立している場合に、成立しやすい条件である。すなわち、不正行為で条件Ａが成立している場合は、開閉部材が開放位置にある状態で、入賞口に多数の遊技球を入賞させ、保留記憶の記憶数が多くなっているので、条件Ｂは成立しない。一方、通常の遊技において、球詰まりを生じさせていた遊技球の入賞が、駆動信号が検出されない状態となってから検出され、条件Ａが成立する場合は、１〜２個程度の入賞であるため、保留記憶の記憶数が多くなることはなく、条件Ｂが成立する。よって、条件Ｂが成立している場合は報知を行わないようにすれば、不正行為ではないのに報知を行い、遊技者に不利益や不快感を与えてしまうようなことが起こりにくい。
【００１４】
前記条件Ｃは、不正行為によってではなく、条件Ａが成立している場合に、成立しやすい条件である。すなわち、時短状態は、不正を行わなくても、不正を行うのと同様の効果が得られている状態であるから、条件Ｃが成立するとき、不正は行われにくい。よって、条件Ｃが成立している場合は報知を行わないようにすれば、不正行為ではないのに報知を行い、遊技者に不利益や不快感を与えてしまうようなことが起こりにくい。なお、時短状態では、開閉部材が煩雑に開閉することが多いため、球詰まりが起こりやすいが、時短状態のときに報知を行わないようにすれば、球詰まりによって不正行為の報知を行ってしまうようなことがない。
【００１５】
条件Ｄは、不正行為によってではなく、条件Ａが成立している場合に、成立しやすい条件である。すなわち、球詰まりで条件Ａが成立している場合は、その後、駆動信号を検出する状態（開閉部材が開放した状態）となったとき、球詰まりが解消する。さらにその後、駆動信号が検出されない状態となったときは、球詰まりが解消しているため、遊技球の入賞が検出されない（条件Ｄが成立する）。よって、条件Ｄが成立している場合は報知を行わないようにすれば、不正行為ではないのに報知を行い、遊技者に不利益や不快感を与えてしまうようなことが起こりにくい。
【００１６】
条件Ｅは、不正行為によってではなく、条件Ａが成立している場合に、成立しやすい条件である。すなわち、通常の遊技が行われている場合、遊技者は、開閉部材を開放位置に移動させるために、始動信号を生じさせ、その結果、遊技図柄の変動表示が行われる（条件Ｅが成立する）。一方、不正行為で開閉部材が開放位置にあるとき、始動信号を生じさせる必要はないため、遊技図柄の変動表示は行われない（条件Ｅは成立しない）。よって、条件Ｅが成立している場合は報知を行わないようにすれば、不正行為ではないのに報知を行い、遊技者に不利益や不快感を与えてしまうようなことが起こりにくい。
【００１７】
条件Ｆは、不正行為によってではなく、条件Ａが成立している場合に、成立しやすい条件である。すなわち、開閉部材が開放位置にあるときに球詰まりが生じていた場合、駆動信号が検出されない状態となってから、球詰まりが解消し、その球詰まりを生じさせていた遊技球の入賞を検出することがある。この場合、駆動信号が検出されない状態となってから、所定時間が経過する前に入賞を検出し、条件Ｆが成立する。条件Ｆが成立している場合は報知を行わないようにすれば、不正行為ではないのに報知を行い、遊技者に不利益や不快感を与えてしまうようなことが起こりにくい。
【００１８】
条件Ｇは、不正行為によってではなく、条件Ａが成立している場合に、成立しやすい条件である。すなわち、球詰まり等、不正行為が原因ではなく、条件Ａが成立した場合、入賞の数は少数（所定値以下）である（条件Ｇが成立する）。一方、不正行為で条件Ａが成立している場合は、多数の入賞が検出される（条件Ｇが成立しない）。よって、条件Ｇが成立している場合は報知を行わないようにすれば、不正行為ではないのに報知を行い、遊技者に不利益や不快感を与えてしまうようなことが起こりにくい。
【００１９】
また、本発明の遊技機は、前記条件Ｂ〜Ｇから選択される１以上の条件について、成立した状態から、成立しない状態に移行した場合、その条件に対応する識別信号を外部に出力する識別信号出力手段を備えるものとすることができる。
【００２０】
この場合、成立する状態から、成立しない状態へ移行した条件が何であるかを知ることができる。そのため、条件Ｂ〜Ｇのうち、変化したものによって、対処方法（例えば、不正行為が行われていない可能性が高い場合は、報知を無視したり、そのまま報知を行ったり、入賞口への入賞を無視したり、遊技を停止する等）を変えることができる。
【００２１】
また、本発明の遊技機は、遊技機の遊技状態によって、前記条件Ｂ、Ｆ、Ｇから選択される１以上の条件における判断基準が変化するものとすることができる。
この場合、遊技状態（例えば、時刻、変動回数、時短状態、確変状態、大当り回数、遊技時間等）によって、条件Ｂ、Ｆ、Ｇから選択される１以上の条件が成立する判断基準を変化（厳しくしたり、緩くしたり）させることができる。このことにより、不正行為のされ易さに合わせて、条件Ｂ、Ｆ、Ｇから選択される１以上の条件が成立する判断基準を変化させることができる。例えば、大当り回数が少ない遊技機や遊技時間が短い遊技機では不正行為がなされる可能性が高いと判断し、条件Ｂ、Ｆ、Ｇから選択される１以上の条件が成立する判断基準を厳しくすることができる。
【００２２】
前記報知禁止手段は、例えば、条件Ｂ〜Ｇのうち、１のみの条件が成立した場合に、報知手段による報知を禁止するようにしてもよいし、予め設定しておいた２以上の条件が同時に成立した場合にのみ、報知手段による報知を禁止するようにしてもよい。
【図面の簡単な説明】
【００２３】
【図１】遊技機１の正面図である。
【図２】（ａ）は閉塞状態にある場合の電動チューリップ１９の正面図であり、（ｂ）は開放状態にある場合の電動チューリップ１９の正面図である。
【図３】遊技機１の主要な電気的構成を表すブロック図である。
【図４】普通図柄遊技の処理を表すフローチャートである。
【図５】電動チューリップ１９に関する制御を表す説明図である。
【図６】特別図柄遊技の処理を表すフローチャートである。
【発明を実施するための形態】
【００２４】
本発明の実施形態を図面に基づいて説明する。
１．遊技機１の構成
（１）遊技機１の全体構成
遊技機１の全体構成を図１に基づいて説明する。遊技機１は、図示しない遊技場に来場した遊技者にパチンコ遊技を提供するものであって、図示しない遊技島に取り付けられる外枠３と、外枠３に開閉可能に取り付けられた内枠５と、内枠５に取り付けられ、遊技者に対面して配置された遊技盤７と、遊技者が遊技行為を行うために遊技盤７上に遊技球を発射するためのハンドル９と、遊技盤７における遊技行為の結果として提供される賞品、ここでは遊技球８（賞品として払い出される遊技球８を賞品球と言う。）を貯留する上受け皿１１と、上受け皿１１から排出される遊技球８を受ける下受け皿１３を備えている。
【００２５】
遊技者に対面する遊技盤７は、遊技者から見える位置に、遊技者に興趣のある図柄を提供する図柄表示装置２１と、電動チューリップ１９とを備える。電動チューリップ１９は、第１の始動口（入賞口）１７と、第２の始動口１８とを備えている。なお、電動チューリップ１９の詳細な構成は後述する。
【００２６】
また、遊技盤７は、大入賞口２５を備え、大入賞口２５を開放することにより大量の賞品球を提供する機能を有する特別電動役物２４と、特別図柄遊技の結果を表示する第１特別図柄表示装置３１及び第２特別図柄表示装置３２と、第１特別図柄遊技の保留数を表示する第１特別図柄記憶表示装置３３及び第２特別図柄遊技の保留数を表示する第２特別図柄記憶表示装置３４と、遊技球８が通過すると、普通図柄遊技用の普通図柄始動信号を出力する機能を有する普通図柄始動ゲート３５と、普通図柄遊技の結果を表示する普通図柄表示装置３７と、普通図柄遊技の保留数を表示する普通図柄記憶表示装置３９とを備えている。上述した第１特別図柄記憶表示装置３３、第２特別図柄記憶表示装置３４、及び普通図柄記憶表示装置３９は、それぞれ、４個のランプを備え、その４個のランプのうち、保留数に対応する数のランプだけが点灯するように構成されている。また、遊技盤７には、変動時間短縮機能（以降、時短と称す）が作動中（即ち、時短状態）かを表示する時短表示ＬＥＤ４２が設置されている。
【００２７】
また、遊技機１は、遊技機１の上記各構成を制御し、後述する処理を実行する主制御基板４１及び図柄制御基板４３を備えている。
（２）電動チューリップ１９の構成
電動チューリップ１９の構成を、図２に基づいて説明する。なお、図２は電動チューリップ１９の正面図であって、（ａ）は閉塞状態、（ｂ）は開放状態を表す。
【００２８】
電動チューリップ１９は、ケーシング４５、一対の開閉部材４７を備える。上記ケーシング４５は、遊技盤７に固定される台板５１を備えており、その台板５１に、第１の始動口１７及び第２の始動口１８が形成されている（図１参照）。
【００２９】
また、台板５１の正面側には、台板５１と所定の間隔をおいて、第１の前カバー５３が取り付けられている。第１の前カバー５３と台板５１との間に入った遊技球は、図示しない球樋に案内され、第１の始動口１７に入賞し、電動チューリップ１９の奥側に設けられた、図示しない排出口から排出される。その排出口の下流には、入賞感知センサ（入賞検出手段）６０（図３参照）が取り付けられており、入賞感知センサ６０は、そこを通過する遊技球を検出し、その検出信号を主制御基板４１（図１、図３参照）に送信する。なお、検出信号を受信した主制御基板４１は、払出制御基板６２（図３参照）に払出制御信号を出力する。払出制御信号を受信した払出制御基板６２は賞球払出装置（図示略）を作動させ、所定個数の遊技球を上受け皿１１（図１参照）に払い出す。
【００３０】
また、ケーシング４５は、第１の前カバー５３よりも上方において、台板５１よりも正面側に張り出した第２の前カバー６１を備えている。そして、第２の前カバー６１の背面側に入った遊技球は、図示しない球樋に案内され、第２の始動口１８に入賞し、電動チューリップ１９の奥側に運ばれる。
【００３１】
上記開閉部材４７は、それぞれ略扇形形状を有する一対の部材であって、その基端部（鋭角に形成された先端部６５とは反対側の端部）付近において突出する回転軸６７により、台板５１に対し、回動可能に取り付けられている。開閉部材４７は、図２（ａ）に示すように、起立した位置（以下、閉塞位置とする）と、図２（ｂ）に示すように、外側に傾倒した位置（以下、開放位置とする）との間で、図示しない電動ソレノイドに駆動され、回動可能である。開閉部材４７が閉塞位置にある場合は、第１の始動口１７へ至る経路が狭められ、遊技球８は第１の始動口１７へ入賞できない。開閉部材４７が開放位置にある場合は、第１の始動口１７へ至る経路が開放され、遊技球８は第１の始動口１７へ入賞できる。
【００３２】
２．遊技機１の電気的構成
遊技機１の電気的構成を図３のブロック図に基づいて説明する。なお、ここでは、本発明の特徴部に関連する部分を主として説明し、周知の遊技機が有する構成については記載を省略乃至簡略化する。
【００３３】
遊技機１は、主制御基板４１を備えており、その主制御基板４１には、普通図柄始動ゲート３５が遊技球８を検出したときに出力する信号と、入賞感知センサ６０が遊技球８を検出したときに出力する信号とが入力される。また、主制御基板４１は、図柄制御基板４３に対し、第１特別図柄表示装置３１と、第２特別図柄表示装置３２とにおける遊技図柄の表示を制御するための信号を出力する。また、主制御基板４１は、普通図柄表示装置３７における遊技図柄の表示を制御する。詳しくは後述する。また、主制御基板４１は、普通図柄記憶表示装置３９における保留数の表示を制御する。また、主制御基板４１は、図柄制御基板４３に対し、第１特別図柄記憶表示装置３３と、第２特別図柄記憶表示装置３４とにおける保留数の表示を制御するための信号を出力する。また、主制御基板４１は、電動チューリップ１９における開閉部材４７の動作を制御する。詳しくは後述する。また、主制御基板４１は、払出制御基板６２に、払出制御信号を出力する。また、主制御基板４１は、外部のホールコンピュータ６３と接続しており、各種信号の出入力が可能である。
【００３４】
３．遊技機１が実行する処理
次に、遊技機１（主として主制御基板４１）が実行する処理を、図４〜図６のフローチャートに基づいて説明する。
（１）普通図柄遊技
図４に示す処理は、普通図柄始動ゲート３５を遊技球８が通過し、普通図柄始動信号が出力されるたびに実行される普通図柄遊技の処理である。ステップ１０では、乱数を取得し、その乱数に基づき、大当りであるか否かを判定する。
【００３５】
ステップ２０では、普通図柄表示装置３７に、複数の遊技図柄を所定時間変動表示してから、いずれかの遊技図柄を確定表示する。ここで、前記ステップ１０での判定結果が大当りである場合は、大当り用図柄で確定表示し、大当りではない（外れである）場合は、外れ用図柄を確定表示する。大当り用図柄で確定表示した場合、駆動信号を所定期間出力する。この駆動信号は、後述するように、電動チューリップ１９の動作に用いられる。
【００３６】
なお、上記の変動表示の時間は、時短状態の場合は、時短状態でない場合よりも、短く設定される。また、変動表示が行われている期間に、普通図柄始動ゲート３５を遊技球８が通過し、普通図柄始動信号が出力された場合は、１つの普通図柄始動信号につき、１つの普通図柄遊技の保留記憶が記憶される。普通図柄遊技の保留記憶は、最大４個まで記憶され、それ以上は無視される。普通図柄遊技の保留記憶がある場合、１つの保留記憶を消化して、上記ステップ１０及びステップ２０の処理が１回行われる。普通図柄遊技の保留数は、普通図柄記憶表示装置３９に表示される。
（２）電動チューリップ１９に関する制御
図５に示す処理は、所定時間おきに繰り返し実行される処理である。
【００３７】
ステップ１１０では、駆動信号が出力されているか否かを判断する。出力されている場合はステップ１２０に進み、出力されていない場合はステップ１５０に進む。
ステップ１２０では、電動チューリップ１９の開閉部材４７を開放位置（図２（ｂ）参照）に移動させる。既に開放位置にある場合は、その位置を維持する。
【００３８】
ステップ１３０では、第１の始動口１７に入賞があったか（入賞感知センサ６０が遊技球８を検出したか）を判断する。入賞があった場合はステップ１４０に進み、入賞が無かった場合は本処理を終了する。
【００３９】
ステップ１４０では、払出制御信号を払出制御基板６２に出力する。払出制御信号を受信した払出制御基板６２は賞球払出装置（図示略）を作動させ、所定個数の遊技球を上受け皿１１（図１参照）に払い出す。
【００４０】
前記ステップ１１０で駆動信号無しと判断した場合はステップ１５０に進み、電動チューリップ１９の開閉部材４７を閉塞位置（図２（ａ）参照）に移動させる。既に閉塞位置にある場合は、その位置を維持する。
【００４１】
ステップ１６０では、第１の始動口１７に入賞があったか（入賞感知センサ６０が遊技球８を検出したか）を判断する。入賞があった場合はステップ１７０に進み、入賞が無かった場合は本処理を終了する。
【００４２】
ステップ１７０では、以下の条件Ｂ、Ｃ、Ｅ〜Ｇのうちのいずれか一つでも成立するか否かを判断する。一つでも成立する場合はステップ１４０に進み、いずれも成立しない場合はステップ１８０に進む。
条件Ｂ：特別図柄遊技の保留数が３個以下である。
条件Ｃ：普通図柄遊技が時短状態にある。
条件Ｅ：普通図柄表示装置３７にて、遊技図柄の変動表示が現在行われている。
条件Ｆ：直近に駆動信号が出力されていない状態となってから、未だ６秒が経過していない。
条件Ｇ：直近に駆動信号が出力されていない状態となってから、第１の始動口１７への入賞の個数が３個以下である。
【００４３】
なお、条件Ｂ、Ｆ、Ｇにおける基準（保留数、時間、入賞の個数）は、遊技状態（時刻、変動回数、時短状態、確変状態、大当り回数、遊技時間等）によって変化させることができる。具体的には、大当り回数が少ない遊技機や遊技時間が短い遊技機では不正行為がなされる可能性が高いため、条件Ｂにおける基準の保留数を少なく設定し、条件Ｆにおける基準の時間を短く設定し、条件Ｇにおける基準の個数を少なく設定することができる。
【００４４】
ステップ１８０では、報知フラグをたてる。なお、この報知フラグがたった後で、駆動信号が検出される状態を経て、再度、駆動信号が検出されない状態となったとき、所定期間内に第１の始動口１７への入賞がなければ（条件Ｄが成立すれば）、報知フラグは消去され、報知は行わない。一方、この報知フラグがたった状態で、駆動信号が検出される状態を経て、再度、駆動信号が検出されない状態となったとき、所定期間内に第１の始動口１７への入賞があれば（条件Ｄが成立しなければ）、ホールコンピュータ６３に報知信号を出力し、ホールコンピュータ６３は、不正行為が行われている旨の報知を行う。
（３）特別図柄遊技
図６に示す処理は、前記ステップ１３０又は前記ステップ１６０で第１の始動口１７に入賞があったと判断された場合（ただし、前記ステップ１８０で報知フラグをたてた場合を除く）に実行される特別遊技処理である。
【００４５】
ステップ２１０では、乱数を取得し、その乱数に基づき、大当りであるか否かを判定する。
ステップ２２０では、停止図柄を設定する。前記ステップ２１０にて大当りと判定した場合は、停止図柄として、複数の大当り用図柄の中から、乱数に基づき、１つの大当り用図柄を設定する。一方、前記ステップ２１０にて大当りではない（外れ）と判定した場合は、停止図柄として、１種類のみの外れ用図柄を設定する。
【００４６】
なお、複数の大当り用図柄の一部である、確変大当り用図柄を設定した場合は、前記ステップ２１０において大当りとなる確率が通常の確率よりも高い確率変動状態が設定される。確率変動状態は、複数の大当り用図柄の一部である、非確変大当り用図柄を設定するまで継続する。また、複数の大当り用図柄のうち、特定の大当り用図柄を設定した場合は、時短状態が設定される。時短状態では、普通図柄表示装置３７、第１特別図柄表示装置３１、及び第２特別図柄表示装置３２における変動表示の時間が、通常よりも短くなる。時短状態は、所定回数、変動表示が行われるまで継続する。
【００４７】
ステップ２３０では、乱数に基づき、変動表示における変動パターンを設定する。
ステップ２４０では、以下のように、変動表示処理を行う。まず、主制御基板４１が、変動開始コマンドを図柄制御基板４３に送信する。この変動開始コマンドは、前記ステップ２３０で設定した変動パターンごとに対応するものである。図柄制御基板４３は、変動開始コマンドを受信すると、前記ステップ２３０で設定した変動パターンにより、第１特別図柄表示装置３１又は第２特別図柄表示装置３２の変動表示を開始する。
【００４８】
次に、主制御基板４１は、前記ステップ２２０で決定した大当り用図柄又は外れ用図柄に対応する停止図柄コマンドを図柄制御基板４３に送信する。図柄制御基板４３は、主制御基板４１から受信した停止図柄コマンドに対応する、大当り用図柄又は外れ用図柄で変動表示が確定停止するように、変動表示を管理制御する。
【００４９】
次に、主制御基板４１は、前記ステップ２３０で設定した変動パターンの終了するタイミングで変動停止コマンドを図柄制御基板４３に送信する。図柄制御基板４３は、変動停止コマンドを受信すると、先に主制御基板４１から受信していた停止図柄コマンドに対応する、大当り用図柄、又は外れ用図柄で変動表示を停止させる。
【００５０】
なお、第１特別図柄表示装置３１又は第２特別図柄表示装置３２の変動表示が行われている期間、又は後述する大当り遊技中に、第１の始動口１７に入賞があった場合は、１つの入賞につき、１つの特別図柄遊技の保留記憶が記憶される。特別図柄遊技の保留記憶は、最大４個まで記憶され、それ以上は無視される。特別図柄遊技の保留記憶がある場合、１つの保留記憶を消化して、上記ステップ２１０乃至ステップ２４０の処理が１回行われる。特別図柄遊技の保留数は、第１特別図柄記憶表示装置３３、及び第２特別図柄記憶表示装置３４に表示される。
（４）大当り遊技処理
次に、大当り遊技処理について説明する。大当り遊技処理は、第１特別図柄表示装置３１又は第２特別図柄表示装置３２に大当り用図柄が確定表示された場合、実行される。大当り遊技処理は、大入賞口２５を開放してから、閉じるまでを１ラウンドとし、複数のラウンドで構成される。
（５）条件Ｂ〜Ｇの識別処理
主制御基板４１は、所定時間ごとに、条件Ｂ〜Ｇのそれぞれについて、成立するか否かを判定し、その結果を記憶する。そして、条件Ｂ〜Ｇの中に、前回の判定では成立していたが、今回の判定では成立していない条件があれば、その条件に対応する識別信号をホールコンピュータ６３に出力する。
【００５１】
４．遊技機１が奏する効果
（１）遊技機１では、前記ステップ１１０にて駆動信号が出力されていないと判断し、前記ステップ１６０にて第１の始動口１７に入賞があったと判断した場合（条件Ａが成立する場合）でも、不正行為ではない場合に成立しやすい条件である条件Ｂ〜Ｇのうちの１つでも成立していれば、報知を行わない。そのことにより、不正行為ではないのに報知を行い、遊技者に不利益や不快感を与えてしまうようなことが起こりにくい。
（２）遊技機１は、条件Ｂ〜Ｇのいずれかについて、成立した状態から、成立しない状態に移行した場合、その条件に対応する識別信号をホールコンピュータ（外部）６３に出力することができる。例えば、条件Ｂが成立した状態から、成立しない状態に移行した場合、条件Ｂに特有の識別信号をホールコンピュータ６３に出力する。
【００５２】
このことにより、条件Ｂ〜Ｇのうち、どれが、成立する状態から、成立しない状態へ移行したのかを知ることができる。そのため、条件Ｂ〜Ｇのうち、変化したものによって、対処方法（例えば、不正行為が行われていない可能性が高い場合は、報知を無視したり、そのまま報知を行ったり、電動チューリップ１９への入賞を無視したり、遊技を停止する等）を変えることができる。
（３）遊技機１は、その遊技状態によって、条件Ｂ、Ｆ、Ｇにおける判断基準を変化させることができる。この場合、遊技状態（時刻、変動回数、時短状態、確変状態、大当り回数、遊技時間等）によって、条件Ｂ、Ｆ、Ｇが成立する判断基準を変化（厳しくしたり、緩くしたり）させることができる。このことにより、不正行為のされ易さに合わせて、条件Ｂ、Ｆ、Ｇが成立する判断基準を変化させることができる。例えば、大当り回数が少ない遊技機や遊技時間が短い遊技機では不正行為がされる可能性が高いと判断し、条件Ｂ、Ｆ、Ｇが成立する判断基準を厳しくすることができる。
（４）遊技機１は、電動チューリップ１９が実際に開放状態となったことを検知する手段を備えなくてもよいので、製造コストを低減できる。
【００５３】
尚、本発明は前記実施の形態になんら限定されるものではなく、本発明を逸脱しない範囲において種々の態様で実施しうることはいうまでもない。
例えば、前記ステップ１７０では、条件Ｂ、Ｃ、Ｅ〜Ｇのうち、固定された１つの条件（例えば、条件Ｂ、条件Ｃ、条件Ｅ、条件Ｆ、条件Ｇ）のみについて成立するか否かを判断し、成立する場合はステップ１４０に進み、成立しない場合はステップ１８０へ進むようにしてもよい。また、この場合、前記ステップ１７０でＮＯと判断された場合は、条件Ｄによらず、直ちに報知を行うようにしてもよい。
【００５４】
また、前記ステップ１６０でＹＥＳと判断された場合は、前記ステップ１７０の判断を行わず、そのまま、前記ステップ１８０へ進むようにしてもよい。この場合は、条件Ｂ、Ｃ、Ｅ〜Ｇについては判断されず、条件Ｄが成立すれば、報知が行われず、条件Ｄが成立しなければ、報知が行われることになる。
【００５５】
また、前記ステップ１７０では、条件Ｂ、Ｃ、Ｅ〜Ｇから予め選ばれた２以上の条件が同時に成立した場合はステップ１４０に進み、それ以外の場合はステップ１８０に進むようにしてもよい。
【符号の説明】
【００５６】
１・・・遊技機、３・・・外枠、５・・・内枠、７・・・遊技盤、８・・・遊技球、
９・・・ハンドル、１１・・・上受け皿、１３・・・下受け皿、
１７・・・第１の始動口、１８・・・第２の始動口、１９・・・電動チューリップ、
２４・・・特別電動役物、２５・・・大入賞口、３１・・・第１特別図柄表示装置、
３２・・・第２特別図柄表示装置、３３・・・第１特別図柄記憶表示装置、
３４・・・第２特別図柄記憶表示装置、３５・・・普通図柄始動ゲート、
３７・・・普通図柄表示装置、３９・・・普通図柄記憶表示装置、
４１・・・主制御基板、４２・・・時短表示ＬＥＤ、４３・・・図柄制御基板、
４５・・・ケーシング、４７・・・開閉部材、５１・・・台板、
５３・・・第１の前カバー、６０・・・入賞感知センサ、６１・・・第２の前カバー、
６２・・・払出制御基板、６３・・・ホールコンピュータ、６５・・・先端部、
６７・・・回転軸
【図２】
2010220657.tif 000003
【図３】
2010220657.tif 000004
【図４】
2010220657.tif 000005
【図５】
2010220657.tif 000006
【図６】
2010220657.tif 000007
【図１】
2010220657.tif 000008